(57)【特許請求の範囲】
【請求項１】
接続すべき一対の管のうち一方の管の端部に回転自在に遊合されたメネジ環つきメス継手部材と、他方の管の端部に回転自在に遊合されたオネジ環つきオス継手部材とのメネジ環とオネジ環の螺合により一対の管を接続するねじ合わせ式管継手において、
上記メネジ環とオネジ環を螺合したメス、オス両継手部材をホルダーに着脱自在に支持させると共に、一方の継手部材を上記メネジ環及びオネジ環の軸心について回転自在に、他方の継手部材を回転不能にそれぞれ保持し、
上記回転自在に保持された継手部材の外周に、上記メネジ環及びオネジ環の軸心を中心とする大歯車を固定すると共に、上記ホルダーに上記大歯車とかみ合う小歯車を回転自在に軸支し、
上記小歯車を外部から回転させる回転駆動手段を備えた、
大径管用ねじ合わせ式管継手の倍力ねじ合わせ装置。
【請求項２】
接続すべき一対の管のうち一方の管の端部に回転自在に遊合されたメネジ環つきメス継手部材と、他方の管の端部に回転自在に遊合されたオネジ環つきオス継手部材とのメネジ環とオネジ環の螺合により一対の管を接続するねじ合わせ式管継手において、
上記メネジ環とオネジ環を螺合したメス、オス両継手部材をホルダーに着脱自在に支持させると共に、一方の継手部材を上記メネジ環及びオネジ環の軸心について回転自在に、他方の継手部材を回転不能にそれぞれ保持し、
上記回転自在に保持された継手部材の外周に、上記メネジ環及びオネジ環の軸心を中心とする索条巻取り面を形成すると共に、上記索条巻取り面にけん引索条を所要回数巻きつけて他端をホルダー外へ引き出し、
上記ホルダーに、上記けん引索条を巻き取って上記継手部材を回転させるべき倍力機構を内装するウインチを設けた、
大径管用ねじ合わせ式管継手の倍力ねじ合わせ装置。
【発明の詳細な説明】
【０００１】
【発明の属する技術分野】
本願発明は、大径管の接続に使用されるねじ合わせ式管継手の倍力ねじ合わせ装置に関する。
【０００２】
【従来の技術】
従来、例えば、一端にフランジを有する一対の金属管の接続継手として、一方の管の端部外周にメネジ環を有するメス継手筒を、他方の管の端部外周にオネジ環を有するオス継手筒をそれぞれ回転自在に遊合し、両継手筒の間に両管のフランジを挾持した状態でメネジ環とオネジ環をねじ合わせて両フランジを圧着させるねじ合わせ式管継手が知られている。
【０００３】
上記従来のねじ合わせ式管継手は、両管のフランジ全面にわたって均一な面圧で締着することにより良好な管接続を達成できることから、小径の管の継手に広く賞用されている。
【０００４】
しかし、大径管の接続のように両管のフランジの圧接面積が広い場合にも、均一な面圧での締着がなお一層必要となるのであるが、大径管であるために上記メネジ環とオネジ環のねじ合わせ作業に多大の労力を必要とし、その欠点は２００ｍｍ、３００ｍｍ等の大径管の接続にねじ合わせ式継手を使用した場合に著しいため、従来はほとんど使用されていない。
【０００５】
【発明が解決しようとする課題】
本願発明は、大径管用ねじ合わせ式管継手のねじ合わせ作業を容易に行うことのできる倍力ねじ合わせ装置を提供することを課題とする。
【０００６】
【課題を達成する手段】
上記課題を達成するため、本願第１発明は、
接続すべき一対の管のうち一方の管の端部に回転自在に遊合されたメネジ環つきメス継手部材と、他方の管の端部に回転自在に遊合されたオネジ環つきオス継手部材とのメネジ環とオネジ環の螺合により一対の環を接続するねじ合わせ式管継手において、
上記メネジ環とオネジ環を螺合したメス、オス両継手部材をホルダーに着脱自在に支持させると共に、一方の継手部材を上記メネジ環及びオネジ環の軸心について回転自在に、他方の継手部材を回転不能にそれぞれ保持し、
上記回転自在に保持された継手部材の外周に、上記メネジ環及びオネジ環の軸心を中心とする大歯車を固定すると共に、上記ホルダーに上記大歯車とかみ合う小歯車を回転自在に軸支し、
上記小歯車を外部から回転させる回転駆動手段を備えた、
大径管用ねじ合わせ式管継手の倍力ねじ合わせ装置を提案し、
【０００７】
本願第２発明は、
接続すべき一対の管のうち一方の管の端部に回転自在に遊合されたメネジ環つきメス継手部材と、他方の管の端部に回転自在に遊合されたオネジ環つきオス継手部材とのメネジ環とオネジ環の螺合により一対の環を接続するねじ合わせ式管継手において、
上記メネジ環とオネジ環を螺合したメス、オス両継手部材をホルダーに着脱自在に支持させると共に、一方の継手部材を上記メネジ環及びオネジ環の軸心について回転自在に、他方の継手部材を回転不能にそれぞれ保持し、
上記回転自在に保持された継手部材の外周に、上記メネジ環及びオネジ環の軸心を中心とする索条巻取り面を形成すると共に、上記索条巻取り面にけん引索条を所要回数巻きつけて他端をホルダー外へ引き出し、
上記ホルダーに、上記けん引索条を巻き取って上記継手部材を回転させるべき倍力機構を内装するウインチを設けた、
大径管用ねじ合わせ式管継手の倍力ねじ合わせ装置を提案する。
【０００８】
本願発明における上記「ねじ合わせ式管継手」には、一端にフランジを有する一対の管における一方の管の端部に袋ナット（メネジ環）を有する継手筒を、他方の管の端部にオネジ環を有する継手筒をそれぞれ回転自在に遊合し、これらメネジ環とオネジ環を螺合して一対の管を接続するもの、一端を拡管した一対の管の各管端部にそれぞれ袋ナット（メネジ環）を有する継手筒を回転自在に遊合し、両袋ナットを両端にオネジ環を有するニップルにそれぞれ螺合して一対の管を接続するもの、一対の管における一方の管の端部にフランジを固定すると共に該フランジに袋ナット（メネジ環）を回転自在に係合し、他方の管の端部にオネジ環つきニップルを固定し、上記メネジ環とオネジ環を螺合して一対の管を接続するもの、その他種々のねじ合わせ式管継手が含まれる。
【０００９】
本願第１発明における上記「大歯車」と「小歯車」には、平歯車、かさ歯車、ウォームギヤとウォーム、その他種々の歯車が含まれる。また小歯車を回転させる「回転駆動手段」には、手動又は電動レンチ、トルクコントロールレンチ、その他種々のものが含まれる。
また本願第２発明における上記「けん引索条」として、チェン、ローラチェン、ワイヤロープ、ポリエステル系等の高強力系からなるベルト、その他種々のものが使用される。また「ウインチ」には、各種倍力機構を内装した手動レバー式ウインチ、電動ウインチ等がある。
以下図面を参照して本願発明の実施例について説明する。
【００１０】
【実施例】
〔第１発明の実施例〕
図１において、一端にフランジ（２）を有する同径の一対の管（１）、（１）を互にフランジ（２）、（２）を対向させた状態につき合わせ、その一方の管（１）のフランジ（２）寄りにメス継手筒（３）を、他方の管（１）のフランジ（２）寄りにオス継手筒（４）をそれぞれ回転自在に被嵌し、上記一方のメス継手筒（３）は、管（１）に被嵌する丸孔（６）を有する円筒状メス継手本体（５）の前端から該本体（５）より大径で内周面にメネジを有するメネジ環（７）を同心的に延出してなり、上記他方のオス継手筒（４）は、管（１）に被嵌する丸孔（９）を有し、外周面を８角面（１０）に形成された（図３）筒状オス継手本体（８）の前端から、該本体（８）と同径で外周面にオネジを有するオネジ環（１１）を同心的に延出してなり、これにメス、オス両継手筒（３）、（４）のメネジ環（７）とオネジ環（１１）を螺合して該メス継手本体（５）及びオネジ環（１１）の両対向端面間に、一対の管（１）、（１）のフランジ（２）、（２）を重合状態で挾持している。
【００１１】
上記のようなねじ合わせ式管継手の倍力ねじ合わせ装置は次のようである。まず、上記一対の管（１）、（１）のフランジ（２）、（２）を軽く挾持した状態の管継手全体を外側からホルダー（１２）にて保持し、該ホルダー（１２）は、図２、３に示すように接続フランジ（１４）、（１４）を有する半円筒状のホルダー半体（１３）、（１３）をフランジ（１４）（１４）、（１４）（１４）においてボルト（１５）…、ナット（１６）…により着脱自在に連結して円筒体に形成したもので、そのメス継手本体（５）がわのホルダー端に、図１に示すように上記継手本体（５）の後端面（図１右端）に接する内側フランジ状の摺動ストッパー（１７）を突設すると共に、オス継手本体（８）がわのホルダー内周面に、図１、３に示すようにメネジ環（７）の先端面（図１左端）に接する３個の摺動ストッパー（１８）…を突設し、これらストッパー（１７）と（１８）…とによりメス継手筒（３）の軸方向位置決めを行うようにし、またメス継手本体（５）がわのホルダー内周面に、図２に示すように該継手本体（５）の外周面に滑動自在に接する４個の滑りコマ（１９）…を突設し、該滑りコマ（１９）…によりメス継手筒（３）の回転軸心位置決めを行うようにしてある。
【００１２】
一方、オス継手本体（８）がわのホルダー内周面には、図１、３に示すように該継手本体（８）の８角面（１０）に接する３個の回りストッパー（２０）…を突設し、該ストッパー（２０）…によりオス継手筒（４）を回転不能に抑止するようにしてある。
【００１３】
上記のようにホルダー（１２）に支持されたメス継手筒（３）におけるメネジ環（７）の後端面に図４（ロ）に示すように放射状に延長する４本のキー溝（２１）…を形成し、また上記継手本体（５）の外周に大歯車の２つ割り半体（３３）、（３３）の２つ割り端面を図４（イ）のようにホゾ（３４）とホゾ孔（３５）により着脱自在に接合してなるリング状かさ大歯車（２２）を嵌脱自在に被嵌すると共に該大歯車（２２）の背面に図４（イ）のように突設された４本のキー（２３）…を上記キー溝（２１）…に係止して回転不能に装着し、一方、上記ホルダー（１２）のメス継手本体（５）外周面に対向する２個所に軸（２４）、（２４）を回転自在に支持し、両軸（２４）、（２４）に固着したかさ小歯車（２５）、（２５）を上記大歯車（２２）にそれぞれかみ合わせると共に、いずれか１本の軸（２４）の外側端にレンチ用角孔ソケット（２６）を固定してある。上記２個の小歯車（２５）、（２５）は、大歯車（２２）を、そのキー（２３）…がキー溝（２１）…に係止した状態に保持する役割も果す。
【００１４】
上例の倍力ねじ合わせ装置の作用を次に説明する。管（１）、（１）のフランジ（２）、（２）寄り端部にメス、オス継手筒（３）、（４）をそれぞれ被嵌し、それらのメネジ環（７）とオネジ環（１１）を螺合して、メス継手本体（５）及びオネジ環（１１）の両対向端面間に両管のフランジ（２）、（２）をガスケットをはさんだ重合状態で軽く挾持させる。上記のようにしたメス、オス継手筒（３）、（４）の外周にホルダー半体（１３）、（１３）を被嵌し、図１、２、３に示すように、メス継手筒（３）に対しては、その本体（５）後端面に摺動ストッパー（１７）を、メネジ環（７）前端面に摺動ストッパー（１８）…をそれぞれ当接すると共に、本体（５）外周面に滑りコマ（１９）…を当接して回転自在に保持し、さらに大歯車（２２）に小歯車（２５）、（２５）をかみ合わせる。一方、オス継手筒（４）に対しては、その本体（８）の８角面（１０）に回りストッパー（２０）…を当接して回転不能に保持し、その状態でホルダー半体（１３）、（１３）のフランジ（１４）（１４）、（１４）（１４）をボルト（１５）…、ナット（１６）…により締着する。
【００１５】
ついで角孔ソケット（２６）に一例として手動レンチのプラグを係合し、該レンチの回し操作により小歯車（２５）を回転させ、それとかみ合う大歯車（２２）を倍力回転させつつメス継手筒（３）全体を回転させ、それによりメス、オス継手筒（３）、（４）をさらに螺入させて両管のフランジ（２）、（２）を強く締着し、十分な管接続を行う。
【００１６】
図５、６は第１発明の他の実施例で、メス継手本体（５ａ）の外周面に、２つ割り半体（３３ａ）、（３３ａ）の２つ割り端面を図４（イ）と同様にホゾとホゾ孔により着脱自在に接合してなるウォームギヤ（２２ａ）をスプライン溝（２１ａ）…及びスプライン（２３ａ）…を介して回転不能に被嵌すると共に、該継手本体（５ａ）がわホルダー内周面に、上記継手本体（５ａ）外周面に滑動自在に接し且つ上記ウォームギヤ（２２ａ）の一側端に当接する滑りコマ（１９ａ）…を突設し、それによりメス継手筒（３ａ）の回転軸心位置決め及びウォームギヤ（２２ａ）の抜け止めを行い、また上記ウォームギヤ（２２ａ）とかみ合うウォーム（２５ａ）の軸（２４ａ）にレンチ用角孔ソケット（２６ａ）を固定し、他の構造は図１〜４のものと実質的に同一の例である。
【００１７】
〔第２発明の実施例〕
図７、８において、メス継手本体（５ｂ）の外周面にベルト巻取り溝（２７ｂ）を形成すると共に、ホルダー（１２ｂ）の外側面に歯車倍力機構を内装する手動レバー式ウインチ（２８ｂ）をボルト（３２ｂ）…により着脱自在に固定し、そして高強力ベルト（２９ｂ）を、その一端を上記ベルト巻取り溝（２７ｂ）に固定して、３〜４回巻きつけた後ベルト他端をホルダー（１２ｂ）外へ引き出して上記ウインチ（２８ｂ）の巻取りリール（３０ｂ）に固定しておき、他の構造は図１〜４のものと実質的に同一である。
【００１８】
本例によれば、ウインチのレバー（３１ｂ）の揺動操作によりベルト（２９ｂ）をウインチに徐々に巻き取ることによりメス継手筒（３ｂ）を回転させてオス継手筒（４ｂ）との螺合を進め、それにより管（１ｂ、）（１ｂ）のフランジ（２ｂ）、（２ｂ）を強力に締着する。
【００１９】
【発明の効果】
本願第１発明の大径管用ねじ合わせ式管継手の倍力ねじ合わせ装置によれば、回転駆動手段により回転する小歯車と大歯車との倍力機構により一方の継手部材を容易に回転させることができ、それにより大径管の接続を確実に行うことができるのである。
【００２０】
本願第２発明の大径管用ねじ合わせ式管継手の倍力ねじ合わせ装置によれば、ウインチの倍力機構によりベルトを巻き取って一方の継手部材を容易に回転させることができ、それにより大径管の接続を確実に行うことができるのである。
【図面の簡単な説明】
【図１】第１発明の実施例の縦断正面図である。
【図２】図１のＩＩ−ＩＩ線断面図ある。
【図３】一部省略左側面図である。
【図４】（イ）大歯車の背面図である。
（ロ）メス継手筒の右側面図である。
【図５】第１発明の他の実施例の縦断正面図である。
【図６】図５のＶＩ−ＶＩ線断面図である。
【図７】第２発明の実施例の一部省略縦断正面図である。
【図８】図７のＶＩＩＩ−ＶＩＩＩ線一部省略断面図である。
【符号の説明】
１、１ａ、１ｂ  管
３、３ａ、３ｂ  メス継手筒
４、４ａ、４ｂ  オス継手筒
７、７ａ、７ｂ  メネジ環
１１、１１ａ、１１ｂ  オネジ環
１２、１２ａ、１２ｂ  ホルダー
２２  かさ大歯車
２２ａ  ウォームギヤ
２５  かさ小歯車
２５ａ  ウォーム
【図１】
0003752670.tif 000002
【図２】
0003752670.tif 000003
【図３】
0003752670.tif 000004
【図４】
0003752670.tif 000005
【図５】
0003752670.tif 000006
【図６】
0003752670.tif 000007
【図７】
0003752670.tif 000008
【図８】
0003752670.tif 000009